(57)【要約】【課題】開放感を向上させることができ、快適な居住環境を形成することが可能なロフトを有する部屋構造を提供することを目的とする。【解決手段】屋根裏１ａに連通する第１部屋１０の上部に、屋根裏１ａに位置するロフト１１が設けられ、このロフト１１を形成する床部１１ａの長さ方向両端は、第１部屋１０を囲む壁１２にそれぞれ固定され、床部１１ａの両側縁部は、それぞれが対向する第１部屋１０の壁１２から所定間隔離間していることを特徴とするロフト１１を有する部屋構造。これにより、ロフトの床部は、第１部屋の上部に橋梁状に設けられることとなるので、床部の上方および下方に居住や収納のための空間を形成できるだけでなく、ロフトの両側縁部側を屋根裏に連通する吹き抜け空間とすることができる。【選択図】図１
2009068198.tif 000002
【特許請求の範囲】
【請求項１】
屋根裏に連通する第１部屋の上部に、前記屋根裏に位置するロフトが設けられており、
このロフトを形成する床部の長さ方向両端は、前記第１部屋を囲む壁にそれぞれ固定され、前記床部の両側縁部は、それぞれが対向する前記第１部屋の壁から所定間隔離間していることを特徴とするロフトを有する部屋構造。
【請求項２】
請求項１に記載のロフトを有する部屋構造において、
前記第１部屋には、この第１部屋とロフトとを連絡する昇降手段が設けられていることを特徴とするロフトを有する部屋構造。
【請求項３】
請求項１または２に記載のロフトを有する部屋構造において、
前記第１部屋は、前記ロフトの下方に、前記第１部屋を仕切る間仕切壁を設けることによって居住部と収納部とを備えており、
前記間仕切壁には、前記居住部と収納部とを連通する出入口が形成されていることを特徴とするロフトを有する部屋構造。
【請求項４】
請求項１〜３のいずれか一項に記載のロフトを有する部屋構造において、
前記ロフトの床部の両側縁部に沿って所定高さの手摺壁が立設されていることを特徴とするロフトを有する部屋構造。
【請求項５】
請求項１〜４のいずれか一項に記載のロフトを有する部屋構造において、
前記第１部屋に隣り合うようにして第２部屋が設けられ、この第２部屋の上部には、屋根裏に位置し、かつ前記ロフトに隣接する屋根裏収納部が設けられており、
この屋根裏収納部は周囲が壁で囲まれており、この屋根裏収納部と前記ロフトとの間に設けられた壁には、これらロフトと屋根裏収納部とを連通する出入口が形成されていることを特徴とするロフトを有する部屋構造。
【発明の詳細な説明】
【技術分野】
【０００１】
本発明は、ロフトを有する部屋構造に関する。
【背景技術】
【０００２】
収納所や寝台として利用されるロフトを有する部屋構造の一例として、特許文献１に記載のものが知られており、この特許文献１に記載のロフトは、部屋の上部の壁面に沿って設けられている。
【特許文献１】特開２００３−２９３６７７号公報
【発明の開示】
【発明が解決しようとする課題】
【０００３】
ところが、このような特許文献１に記載のロフトの場合、このロフトが部屋の上部の壁面に沿って設けられ、部屋の中央側に向かって迫り出した状態となっている。また、このロフトの下方に設けられる仕切り壁も、ロフトとともに部屋の中央側に向かって迫り出した状態となっているため、ロフトによって部屋を専有する面積や容積が大きくなり、居住者に対して圧迫感を与えてしまう場合がある。
【０００４】
本発明の課題は、開放感を向上させることができ、快適な居住環境を形成することが可能なロフトを有する部屋構造を提供することを目的とする。
【課題を解決するための手段】
【０００５】
請求項１に記載の発明は、ロフト１１を有する部屋構造であり、例えば図１〜図４に示すように、屋根裏１ａに連通する第１部屋１０の上部に、前記屋根裏１ａに位置するロフト１１が設けられており、
このロフト１１を形成する床部１１ａの長さ方向両端は、前記第１部屋１０を囲む壁１２にそれぞれ固定され、前記床部１１ａの両側縁部は、それぞれが対向する前記第１部屋１０の壁１２から所定間隔離間していることを特徴とする。
【０００６】
請求項１に記載の発明によれば、前記ロフト１１を形成する床部１１ａの長さ方向両端は、前記第１部屋１０を囲む壁１２にそれぞれ固定され、前記床部１１ａの両側縁部は、それぞれが対向する前記第１部屋１０の壁１２から所定間隔離間しているので、前記ロフトの床部１１ａは、前記第１部屋１０の上部に橋梁状に設けられることとなる。したがって、このロフト１１の床部１１ａの上方および下方に居住や収納のための空間を形成できるだけでなく、このロフト１１の両側縁部側を前記屋根裏１ａに連通する吹き抜け空間とすることができる。
これによって、前記第１部屋の開放感を向上させることができるので、従来に比して、居住者に与える圧迫感を軽減することができ、快適な居住環境を形成することが可能となる。
【０００７】
請求項２に記載の発明は、例えば図１〜図３に示すように、請求項１に記載のロフト１１を有する部屋構造において、
前記第１部屋１０には、この第１部屋１０とロフト１１とを連絡する昇降手段１３が設けられていることを特徴とする。
【０００８】
請求項２に記載の発明によれば、前記第１部屋１０には、この第１部屋１０とロフト１１とを連絡する昇降手段１３が設けられているので、前記第１部屋１０とロフト１１との間を容易に行き来することができる。
【０００９】
請求項３に記載の発明は、例えば図２および図４に示すように、請求項１または２に記載のロフト１１を有する部屋構造において、
前記第１部屋１０は、前記ロフト１１の下方に、前記第１部屋１０を仕切る間仕切壁１４を設けることによって居住部１０ａと収納部１０ｂとを備えており、
前記間仕切壁１４には、前記居住部１０ａと収納部１０ｂとを連通する出入口１４ａが形成されていることを特徴とする。
【００１０】
請求項３に記載の発明によれば、前記間仕切壁１４には、前記居住部１０ａと収納部１０ｂとを連通する出入口１４ａが形成されているので、前記ロフト１１の下方で前記第１部屋１０を仕切っても、居住者は、このロフト１１の下方の空間を通過して、前記第１部屋１０の居住部１０ａと収納部１０ｂとを行き来することができ、使い勝手が良い。
【００１１】
請求項４に記載の発明は、例えば図１および図３、図４に示すように、請求項１〜３のいずれか一項に記載のロフト１１を有する部屋構造において、
前記ロフト１１の床部１１ａの両側縁部に沿って所定高さの手摺壁１１ｂが立設されていることを特徴とする。
【００１２】
請求項４に記載の発明によれば、前記ロフト１１の床部１１ａの両側縁部に沿って所定高さの手摺壁１１ｂが立設されているので、この手摺壁１１ｂに掴まりながら前記ロフト１１上を移動することができ、安全性を向上させることができる。また、前記手摺壁１１ｂよりも高さの低い物品の落下を防ぐことができる。
【００１３】
請求項５に記載の発明は、例えば図１および図２、図４に示すように、請求項１〜４のいずれか一項に記載のロフト１１を有する部屋構造において、
前記第１部屋１０に隣り合うようにして第２部屋２０が設けられ、この第２部屋２０の上部には、屋根裏１ａに位置し、かつ前記ロフト１１に隣接する屋根裏収納部２１が設けられており、
この屋根裏収納部２１は周囲が壁２２で囲まれており、この屋根裏収納部２１と前記ロフト１１との間に設けられた壁２２には、これらロフト１１と屋根裏収納部２１とを連通する出入口２２ａが形成されていることを特徴とする。
【００１４】
請求項５に記載の発明によれば、よれば、前記屋根裏収納部２１は周囲が壁２２で囲まれているので、収納された物品が前記第２部屋２０に落下することを確実に防ぐことができる。また、壁２２に沿って物品を積み重ねたりできるので、比較的大きい収納量や整頓のしやすさ等を得ることができ、収納性を向上させることができる。
さらに、前記屋根裏収納部２１と前記ロフト１１との間に設けられた壁２２には、これらロフト１１と屋根裏収納部２１とを連通する出入口２２ａが形成されているので、前記ロフト１１から屋根裏収納部２１へと行き来することができる。したがって、前記ロフト１１で使用する物品や前記第１部屋で使用する物品を、前記第１部屋１０の領域外に設けられる前記屋根裏収納部２１に収納することができるので、使い勝手が良い。
【発明の効果】
【００１５】
本発明によれば、ロフトを形成する床部の長さ方向両端は、第１部屋を囲む壁にそれぞれ固定され、床部の両側縁部は、それぞれが対向する第１部屋の壁から所定間隔離間しているので、ロフトの床部は、前記第１部屋の上部に橋梁状に設けられることとなる。したがって、このロフトの床部の上方および下方に居住や収納のための空間を形成できるだけでなく、このロフトの両側縁部側を屋根裏に連通する吹き抜け空間とすることができる。
これによって、第１部屋の開放感を向上させることができるので、従来に比して、居住者に与える圧迫感を軽減することができ、快適な居住環境を形成することが可能となる。
【発明を実施するための最良の形態】
【００１６】
以下、図面を参照して本発明の実施の形態について説明する。なお、本実施の形態のロフト１１を有する部屋構造が設けられる建物は、壁や床、屋根といった建物の構成要素を予め工場にてパネル化しておき、施工現場でこれらのパネルを組み立てて構築するパネル工法で構築されるが、従来の軸組工法や壁式工法の木造、鉄骨造、鉄筋コンクリート造等の建物にも適用することができる。
【００１７】
本実施の形態のロフト１１を有する部屋構造は、図１〜図４に示すように、屋根裏１ａに連通する第１部屋１０の上部に、前記屋根裏１ａに位置するロフト１１が設けられており、
このロフト１１を形成する床部１１ａの長さ方向両端は、前記第１部屋１０を囲む壁１２にそれぞれ固定され、前記床部１１ａの両側縁部は、それぞれが対向する前記第１部屋１０の壁１２から所定間隔離間している。
すなわち、前記ロフトの床部１１ａは、前記第１部屋１０の上部に橋梁状に設けられることとなる。
【００１８】
ここで、前記第１部屋１０を備える建物は、図３および図４に示すように、上下２階建ての住宅であり、前記第１部屋１０は上階に配置されるとともに、この第１部屋１０は、上述のように、屋根１下方の屋根裏１ａに連通するようにして形成されている。
なお、本実施の形態の第１部屋１０は、前記屋根裏１ａと連通していれば良く、したがって、この第１部屋１０を備える建物は、３階建て以上の住宅や平屋住宅でも良い。
【００１９】
そして、前記第１部屋１０を配置した建物の２階には、他にも部屋が設けられている。すなわち、図２に示すように、１階からの階段２と、２階の各部屋に面する廊下３を介して、前記第１部屋１０に隣り合うようにして第２部屋２０が設けられるとともに、これら第１部屋１０および第２部屋２０に隣接して第３部屋３０が設けられている。
【００２０】
なお、前記第１部屋１０は、図２中において、建物の２階の左側半分を専有しており、前記第２および第３部屋２０，３０が、建物の２階の右側半分に配置されている。
【００２１】
また、前記第１部屋１０は、図２に示すように、平面視矩形状に形成されている。また、本実施の形態の屋根１は、図３に示すように、切妻屋根であり、矩形状に形成された前記第１部屋１０の長さ方向と直交する方向に沿って、前記屋根１の棟１ｂが延設されている。そして、前記第１部屋１０に設けられるロフト１１は、この棟１ｂの下方に位置している。
【００２２】
前記ロフト１１は、図１に示すように、前記床部１１ａが、平面視矩形状に形成されており、この床部１１ａの長さ方向が、前記第１部屋１０の長さ方向に直交する方向、すなわち、前記棟１ｂ方向に沿うようにして、前記第１部屋１０の上部に設けられている。
【００２３】
また、このロフト１１は、上述のように前記床部１１ａが、前記第１部屋１０の上部に橋梁状に設けられることとなるので、図３および図４に示すように、このロフト１１の床部１１ａの上方および下方に居住や収納のための空間を形成できるだけでなく、図１および図２に示すように、このロフト１１の両側縁部側を前記屋根裏１ａに連通する吹き抜け空間とすることが可能となっている。
【００２４】
なお、このロフト１１の床部１１ａを前記第１部屋１０を囲む壁１２に固定するには、建物の２階の床パネルの上面に沿って適宜配置され、立設された２階の壁パネルの上端部間に、前記床部１１ａを架設している。なお、従来の軸組工法の場合は、前記床部１１ａを複数の柱間に架設できるような支持金物を用いるようにしてもよい。
【００２５】
また、図１および図３に示すように、前記ロフト１１の床部１１ａの両側縁部に沿って所定高さの手摺壁１１ｂが立設されており、この手摺壁１１ｂに掴まりながら前記ロフト１１上を移動することができるので、安全性を向上させることができるようになっている。また、前記手摺壁１１ｂよりも高さの低い物品の落下を防ぐことができる。
【００２６】
なお、ここで言う前記手摺壁１１ｂの所定高さとは、前記床部１１ａの上面から数１０ｃｍ程度の高さであり、例えば腰を屈めた状態で床部１１ａ上を前進する際に、無理なく手摺壁１１ｂ上部を掴持できるとともに、体のバランスを保つことができるような高さである。すなわち、あまりに低いと、物品の落下を防ぐことができないばかりか、腰を屈めて手摺壁１１ｂに手を突いた際に、必要以上に腰を曲げなければならず、体のバランスを効果的に保つことはできない。また、あまりに高いと、前記ロフト１１が、前記第１部屋１０から隔絶された状態となってしまう。
【００２７】
一方、前記第１部屋１０は、図２および図４に示すように、前記ロフト１１の下方に、前記第１部屋１０を仕切る間仕切壁１４を設けることによって居住部１０ａと収納部１０ｂとを備えている。なお、本実施の形態野の収納部１０ｂは、ウォークインクローゼットとなっている。
【００２８】
また、前記間仕切壁１４には、前記居住部１０ａと収納部１０ｂとを連通する出入口１４ａが形成されており、この間仕切壁１４によって前記ロフト１１の下方で前記第１部屋１０を仕切っても、居住者は、このロフト１１の下方の空間を通過して、前記第１部屋１０の居住部１０ａと収納部１０ｂとを行き来することができるので、使い勝手が良い。
【００２９】
さらに、前記第１部屋１０には、図１〜図３に示すように、この第１部屋１０とロフト１１とを連絡する昇降手段１３が設けられており、前記第１部屋１０とロフト１１との間を容易に行き来することができるようになっている。
【００３０】
なお、本実施の形態の昇降手段１３は階段であり、この階段１３の側面が前記間仕切壁１４に接するように配置することによって、居住者は前記間仕切壁１４に沿って階段１３を昇降できるようになっている。また、この階段１３の前記間仕切壁１４に接する側面とは逆の側面には階段手摺り１３ｂが設けられている。
【００３１】
また、この階段１３は、前記第１部屋１０の収納部１０ｂに設けられており、前記居住部１０ａを広々と使用できるようになっている。また、この階段１３の下方には、図２に示すように、収納スペース１３ｂが形成されており、階段１３を前記収納部１０ｂに設けたとしても、収納力を軽減させないように配慮されている。
【００３２】
なお、本実施の形態の昇降手段１３は階段としたが、これに限られるものではなく、例えば梯子やスロープ、ポール等を用いるようにしても良い。また、本実施の形態において階段１３は、前記床部１１ａに固定するものとするが、階段を含む全ての昇降手段１３は、前記床部１１ａに固定せずともよい。
【００３３】
また、前記ロフト１１の床部１１ａは、前記第１部屋１０の上部において橋梁状に設けられているので、この床部１１ａの両側縁部のいずれの位置でも昇降手段１３の上端部を固定することができるようになっている。
なお、前記昇降手段１３を設けるに際し、この昇降手段１３の上端部と前記床部１１ａとの間の降り口部分には、図１および図４に示すように、前記床部１１ａに立設された手摺壁１１ｂを設けないようにすることが好ましい。
【００３４】
一方、前記第２部屋２０の上部には、図１および図２、図４に示すように、屋根裏１ａに位置し、かつ前記ロフト１１に隣接する屋根裏収納部２１が設けられている。より詳細には、この屋根裏収納部２１は、前記建物の２階の階段２および廊下３の上部と、前記第２部屋２０の上部とに跨って設けられている。
【００３５】
なお、この屋根裏収納部２１も、前記ロフト１１の床部１１ａと同じく、平面視矩形状に形成されており、この屋根裏収納部２１の長さ方向が、前記棟１ｂ方向に沿うようにして、前記第２部屋２０の上部に設けられている。
【００３６】
このような屋根裏収納部２１は周囲が壁２２で囲まれており、前記第２部屋２０や、階段２および廊下３とは隔絶された状態となっている。これによって、この屋根裏収納部２１に収納された物品が、前記第２部屋２０や、階段２および廊下３に落下することを確実に防ぐことができるようになっている。
【００３７】
また、このように周囲が壁２２で囲まれていれば、この壁２２に沿って物品を積み重ねたりできるので、比較的大きい収納量や整頓のしやすさ等を得ることができ、収納性を向上させることができる。
【００３８】
さらに、この屋根裏収納部２１と前記ロフト１１との間に設けられた壁２２には、これらロフト１１と屋根裏収納部２１とを連通する出入口２２ａが形成されている。すなわち、前記ロフト１１から屋根裏収納部２１へと行き来することができる。
したがって、前記ロフト１１で使用する物品や前記第１部屋で使用する物品を、前記第１部屋１０の領域外に設けられる前記屋根裏収納部２１に収納することができるので、使い勝手が良い。
【００３９】
なお、前記第１部屋１０には、図３および図４に示すように、前記ロフト１１近傍の屋根１に天窓１５を設けるとともに、複数の窓１５ａ，１５ｂを設けることが望ましい。このように、前記天窓１５を設けることによって、前記ロフト１１の採光性を向上できる。
【００４０】
さらに、これら天窓１５および複数の窓１５ａ，１５ｂを設けることによって、天窓１５から取り込んだ空気を複数の窓１５ａ，１５ｂへ向かって流通させたり、複数の窓１５ａ，１５ｂから取り込んだ空気を前記天窓１５へ向かって流通させることができる。これによって、前記ロフト１１部分の温度上昇や第１部屋１０の温度上昇を抑制しながら換気を行うことが可能となる。
【００４１】
本実施の形態によれば、前記ロフト１１を形成する床部１１ａの長さ方向両端は、前記第１部屋１０を囲む壁１２にそれぞれ固定され、前記床部１１ａの両側縁部は、それぞれが対向する前記第１部屋１０の壁１２から所定間隔離間しているので、前記ロフトの床部１１ａは、前記第１部屋１０の上部に橋梁状に設けられることとなる。したがって、このロフト１１の床部１１ａの上方および下方に居住や収納のための空間を形成できるだけでなく、このロフト１１の両側縁部側を前記屋根裏１ａに連通する吹き抜け空間とすることができる。
これによって、前記第１部屋の開放感を向上させることができるので、従来に比して、居住者に与える圧迫感を軽減することができ、快適な居住環境を形成することが可能となる。
【図面の簡単な説明】
【００４２】
【図１】本発明の実施の形態に係るロフトを有する部屋構造を備える建物の２階の上部を示す平面図である。
【図２】図１に示す建物の２階を示す平面図である。
【図３】図１に示す建物の側断面図である。
【図４】図１に示す建物の正断面図である。
【符号の説明】
【００４３】
１  屋根
１ａ  屋根裏
１０  第１部屋
１１  ロフト
１１ａ  床部
【図１】
2009068198.tif 000003
【図２】
2009068198.tif 000004
【図３】
2009068198.tif 000005
【図４】
2009068198.tif 000006